(57)【要約】【課題】診療スケジュールに変更が生じても、診療を円滑に進められるように診療スケジュールを自動更新する。【解決手段】ＨＤＤ２４には、診療予約に基づいて作成された各医師の診療日毎の診療スケジュールが登録された診療スケジュールＤＢ２４ａが記憶されている。判定部２１ａは、各患者の診療が終了したタイミングで、その医師の診療スケジュールと実際の診療進捗状況とを比較して、所定時間以上の差が生じているか判定する。スケジュール更新部２１ｂは、所定時間以上の差が生じた時に、患者１人当たりの診療時間や、診療終了時刻を変更して再スケジュールを行う。さらに、スケジュール更新部２１ｂは、診療スケジュールＤＢ２４ａに登録された診療スケジュールを再スケジュールされた新たな診療スケジュールに更新する。【選択図】図２
2008158982.tif 000002
【特許請求の範囲】
【請求項１】
診療予約に基づいて作成された医師の診療スケジュールを管理する診療スケジュール管理装置において、
前記診療スケジュールと実際の診療進捗状況とを比較して、所定時間以上の差が生じているか否かを判定する判定部と、
前記診療スケジュールと前記診療進捗状況とに所定時間以上の差が生じた時に、診療未実施患者の診療時間枠を調節して前記診療スケジュールを更新するスケジュール更新部とを備えていることを特徴とする診療スケジュール管理装置。
【請求項２】
前記診療スケジュールを示すスケジュール画面を生成して、前記医師が使用する端末装置に配信する配信部を備えていることを特徴とする請求項１記載の診療スケジュール管理装置。
【請求項３】
前記スケジュール画面には、現在診療中の患者の診療残り時間が表示されることを特徴とする請求項１または２に記載の診療スケジュール管理装置。
【請求項４】
前記スケジュール更新部は、当日の診療終了時刻を変更せずに、診療未実施患者の１人当たりの診療時間を調節して、前記診療スケジュールを更新することを特徴とする請求項１ないし３のいずれかに記載の診療スケジュール管理装置。
【請求項５】
前記スケジュール更新部は、当日の診療終了予定時刻を変更して診療未実施患者の前記診療時間枠を前後にずらして、前期診療スケジュールを更新することを特徴とする請求項１ないし３のいずれかに記載の診療スケジュール管理装置。
【請求項６】
前記スケジュール更新部は、前記診療スケジュールと前記診療進捗状況とに差が生じた時に、前記端末装置から診療終了希望時刻、または診療未実施患者の１人当たりの診療希望時間を取得し、前記診療終了希望時刻または前記診療希望時間に基づいて前記診療スケジュールを更新することを特徴とする請求項２ないし５のいずれかに記載の診療スケジュール管理装置。
【請求項７】
前記診療スケジュール更新部は、前記診療スケジュールと前記診療進捗状況とに所定時間以上の差が生じた時に、他の医師でも診療可能な患者を選出し、この患者を前記他の医師に振り替えて、前記各医師の診療スケジュールを更新することを特徴とする請求項１ないし６のいずれかに記載の診療スケジュール管理装置。
【請求項８】
診療予約に基づいて作成された医師の診療スケジュールを管理する診療スケジュール管理方法において、
前記診療スケジュールと実際の診療進捗状況とを比較して、所定時間以上の差が生じているか否かを判定するステップと、
前記診療スケジュールと前記診療進捗状況とに所定時間以上の差が生じた時に、診療未実施患者の診療時間枠を調節して前記診療スケジュールを更新するステップとを含むことを特徴とする診療スケジュール管理方法。
【発明の詳細な説明】
【技術分野】
【０００１】
本発明は、診療予約に基づいて作成された医師の診療スケジュールを管理する診療スケジュール管理装置及び方法に関する。
【背景技術】
【０００２】
従来、病院等の医療施設での診療を効率的に進めるために様々なシステムが提案されている。このようなシステムとして、緊急の検査を実施した時に、人手を介さずに検査結果を医師に通知することによって患者の待ち時間を短縮する医療情報システム（例えば、特許文献１参照）や、患者の診療予定時刻の所定時間前に患者の端末装置を起動させて、診療予定に関する情報を報知する診療システム（例えば、特許文献２参照）や、病院における診療予約及びカルテの準備を円滑に行える予約管理システム（例えば、特許文献３参照）等が知られている。
【０００３】
また、診療予約状況に応じて診療スケジュールを効率良く作成するために、当日の患者の診療予約状況を容易に把握できるようにして、診療スケジュールの作成を支援する診療支援システム（例えば、特許文献４参照）や、患者の希望に応じた診療予約を効率的に受け付けて、最適な診療スケジュールを作成する診療予約支援システム（例えば、特許文献５参照）や、診療時間の統計値を用いて、より正確な診療の時間予約を可能にして、診療の待ち時間を少なくする診療予約システムも知られている（例えば、特許文献６参照）。
【特許文献１】特開平０８−３２９１４６号公報
【特許文献２】特開平１１−３４７００３号公報
【特許文献３】特開２００２−３３４１５２号公報
【特許文献４】特開平０６−６８１７５号公報
【特許文献５】特開２００２−１１７１３６号公報
【特許文献６】特開２００３−２９６４４８号公報
【発明の開示】
【発明が解決しようとする課題】
【０００４】
しかしながら、上記特許文献１〜６に記載のシステムは、急患等によって当日の診療スケジュールに変更が生じた場合については考慮されていない。このため、診療スケジュールに変更が生じた時に、診療を円滑に進めることが難しいという問題があった。
【０００５】
本発明は、上記事情に鑑みてなされたものであり、急患等によって診療スケジュールに変更が生じても、診療を円滑に進められるように診療スケジュールを自動更新する診療スケジュール管理装置及び方法を提供する。
【課題を解決するための手段】
【０００６】
上記課題を解決するために、本発明の診療スケジュール管理装置は、診療予約に基づいて作成された医師の診療スケジュールを管理する診療スケジュール管理装置であり、前記診療スケジュールと実際の診療進捗状況とを比較して、所定時間以上の差が生じているか否かを判定する判定部と、前記診療スケジュールと前記診療進捗状況とに所定時間以上の差が生じた時に、診療未実施患者の診療時間枠を調節して前記診療スケジュールを更新するスケジュール更新部とを備えていることを特徴とするものである。
【０００７】
また、前記診療スケジュールを示すスケジュール画面を生成して、前記医師が使用する端末装置に配信する配信部を備えていることが好ましい。さらに、前記スケジュール画面には、現在診療中の患者の診療残り時間が表示されることが好ましい。
【０００８】
また、前記スケジュール更新部は、当日の診療終了時刻を変更せずに、診療未実施患者の１人当たりの診療時間を調節して、前記診療スケジュールを更新することが好ましい。さらに、前記スケジュール更新部は、当日の診療終了予定時刻を変更して診療未実施患者の前記診療時間枠を前後にずらして、前期診療スケジュールを更新しても良い。
【０００９】
また、前記スケジュール更新部は、前記診療スケジュールと前記診療進捗状況とに差が生じた時に、前記端末装置から診療終了希望時刻、または診療未実施患者の１人当たりの診療希望時間を取得し、前記診療終了希望時刻または前記診療希望時間に基づいて前記診療スケジュールを更新しても良い。
【００１０】
さらに、前記診療スケジュール更新部は、前記診療スケジュールと前記診療進捗状況とに所定時間以上の差が生じた時に、他の医師でも診療可能な患者を選出し、この患者を前記他の医師に振り替えて、前記各医師の診療スケジュールを更新しても良い。
【００１１】
また、本発明の診療スケジュール管理方法は、診療予約に基づいて作成された医師の診療スケジュールを管理する診療スケジュール管理方法であり、前記診療スケジュールと実際の診療進捗状況とを比較して、所定時間以上の差が生じているか否かを判定するステップと、前記診療スケジュールと前記診療進捗状況とに所定時間以上の差が生じた時に、診療未実施患者の診療時間枠を調節して前記診療スケジュールを更新するステップとを含むことを特徴とするものである。
【発明の効果】
【００１２】
本発明によれば、診療スケジュールと診療進捗状況とに所定時間以上の差が生じた時に、診療未実施患者の診療時間枠を調節して診療スケジュールを更新するので、急患等によって診療スケジュールに変更が生じても混乱することなく、患者の診療を円滑に進めることができる。
【００１３】
また、診療スケジュールを示すスケジュール画面が、医師が使用する端末装置に配信されるので、医師は、スケジュール画面にて最新の診療スケジュールを確認しながら診療を行うことが可能である。
【００１４】
さらに、スケジュール画面には、現在診療中の患者の診療残り時間が表示されるので、医師は、診療残り時間を確認しながら診療を行って診療スケジュール通りに診療を行うことが容易である。
【発明を実施するための最良の形態】
【００１５】
図１に示す診療スケジュール管理システム１０は、病院内に設置され、医師の診療スケジュールを管理するものである。この診療スケジュール管理システム１０は、各医師によって使用される複数の端末装置（例えば、パーソナルコンピュータ）１１と、これらの端末装置１１とネットワーク（例えば、ＬＡＮ）１２を介して接続された診療スケジュール管理装置１３とで構成されている。また、診療スケジュール管理装置１３には、ネットワーク１２を介して診療予約システム１４、検査予約システム１５、及び会計システム１６が接続されている。
【００１６】
図２に示すように、診療スケジュール管理装置１３は、制御部２１と、記憶部２２と、ネットワークＩ／Ｆ２３と、ハードディスクドライブ（以下、ＨＤＤと称する）２４とを備えており、これらの各部は、データバス２５を介して互いに接続されている。
【００１７】
記憶部２２は、ＲＯＭ及びＲＡＭを備えており、ＲＯＭには、各種制御プログラムが記憶され、ＲＡＭには、作業用データが一時的に記憶される。制御部２１は、ＲＯＭから制御プログラムを適宜読み出して、この制御プログラムに基づいて各部を制御する。
【００１８】
また、ネットワークＩ／Ｆ２３は、ネットワーク１２を介して、複数の端末装置１１、診療予約システム１４、検査予約システム１５、及び会計システム１６との間で通信を行う通信手段である。ＨＤＤ２４には、各医師の診療日毎の診療スケジュールが登録された診療スケジュールデータベース（以下、ＤＢと称する）２４ａが記憶されている。また、この診療スケジュールは、診療予約システム１４によって、患者の予約状況に基づいて各医師の診療日毎に作成される。なお、この診療スケジュールは、診療予約システム１４ではなく、診療スケジュール管理装置１３が作成しても良い。
【００１９】
また、制御部２１は、判定部２１ａと、スケジュール更新部２１ｂと、配信部２１ｃとを備えている。判定部２１ａは、各医師の診療スケジュールと、その医師の診療進捗状況とを比較して、所定時間（例えば、５分）以上の差が生じているか否かを判定する。なお、この判定部２１ａは、例えば、各患者の診療が終了したタイミング、すなわち、各患者の診療終了を示す信号を端末装置１１から取得したタイミングで判定を行う。
【００２０】
また、スケジュール更新部２１ｂは、判定部２１ａによって所定時間以上の差が生じていると判定された時に再スケジュールを行って、診療スケジュールＤＢ２４ａに登録された診療スケジュールを更新する。
【００２１】
以下に、スケジュール更新部２１ｂの再スケジュール方法について説明する。診療スケジュールＤＢ２４ａには、診療予約状況に基づいて診療前に作成された診療スケジュールが登録されており、例えば、図３（Ａ）に示す診療スケジュールが登録されている。この診療スケジュールは、午後の診療スケジュールであり、患者１人当たりの診療時間を１５分間で１６人の患者を診療する場合を示している。
【００２２】
最初に、診療終了時刻を変更せずに、患者１人当たりの診療時間を変更して再スケジュールを行う場合について説明する。診療を開始して１４：３０まで予定通り６人の患者を診療した後、急患が入って診療に３０分間費やした時に、この時点での診療未実施患者は、急患の診療時間帯に診療予定であった２人の患者を含めて１０名であり、診療終了時刻を変更しないので診療残り時間は２時間（１２０分）である。
【００２３】
スケジュール更新部２１ｂは、患者１人当たりの診療時間（＝診療残り時間／診療未実施患者数）を算出する。つまり、診療残り時間１２０分を診療未実施患者数１０名で割って、１人当たりの診療時間Ｔ（分／人）＝１２分／人を算出する。スケジュール更新部２１ｂは、この１人当たりの診療時間Ｔに基づいて、図３（Ｂ）に示すように再スケジュールを行う。
【００２４】
次に、患者１人当たりの診療時間を変更せずに、診療終了時刻を変更して再スケジュールを行う場合について説明する。前述の場合と同様に、急患が１４：３０に入って診療に３０分間費やした場合、スケジュール更新部２１ｂは、診療終了時刻を急患に要した３０分間延長して、図３（Ｃ）に示すように、１人当たりの診療時間を変更せずに各患者の診療時間枠を後ろにずらして再スケジュールを行う。
【００２５】
次に、診療終了希望時刻、または患者１人当たりの診療希望時間を医師の端末装置１１から取得して、再スケジュールを行う場合について説明する。診療終了希望時刻を取得して再スケジュールを行う場合、前述の場合と同様に、急患が１４：３０に入って診療に３０分間費やした後、診療終了希望時刻（例えば、１８：２０）を取得すると、スケジュール更新部２１ｂは、診療の残り時間（２００分）と診療未実施患者数（１０名）とに基づいて、患者１人当たりの診療時間（２０分）を算出して、図４に示すように再スケジュールを行う。
【００２６】
また、患者１人当たりの診療希望時間を取得して再スケジュールを行う場合、前述の場合と同様に、急患が１４：３０に入って診療に３０分間費やした後、診療希望時間（例えば、２０分間）を取得すると、スケジュール更新部２１ｂは、患者の１人当たりの診療時間を２０分間に設定して、各患者の時間枠を後にずらして、図４に示すように再スケジュールを行う。
【００２７】
次に、他の医師を含めて再スケジュールを行う場合について説明する。前述の場合と同様に、医師Ａが急患を１４：３０から３０分間診療した後、スケジュール更新部２１ｂは、医師Ｂでも診療可能な患者を選出し、この患者を医師Ｂの予定患者に振り替える。この時、診療未実施患者は、医師Ａ及び医師Ｂ共に９名である。
【００２８】
さらに、このスケジュール更新部２１ｂは、図５に示すように、患者の１人当たりの診療時間を変更せずに、診療終了時刻を患者１人分後にずらして再スケジュールを行って、医師Ａ及び医師Ｂの診療スケジュールを更新する。なお、患者を医師Ｂの予定患者に振り替えた後の再スケジュール方法は、患者１人当たりの診療時間を変更しない方法に限らず、他の方法でも良い。
【００２９】
なお、前述の説明では、急患によって診療スケジュールに遅れが生じた場合について説明したが、これに限るものではなく、再スケジュールが必要となるのは、急に検査が必要となった場合や、患者の病症によって診療時間が増えたり減ったりした場合や、診療予約にキャンセルが発生した場合や、診療予約なしの患者が来た場合等である。
【００３０】
次に、配信部２１ｃについて説明する。配信部２１ｃは、診療スケジュールＤＢ２４ａから各医師の診療スケジュールを読み出して、診療スケジュール及び診療中患者の残り時間を示すスケジュール画面データを生成する。さらに、配信部２１ｃは、ネットワークＩ／Ｆ２３を制御して、このスケジュール画面データを各医師の端末装置１１に配信する。
【００３１】
この時、端末装置１１の表示部には、例えば、図６に示すスケジュール画面３０が表示される。このスケジュール画面３０には、診療スケジュール３１と、診療未実施患者数３２と、診療残り時間３３とが表示される。この診療残り時間３３は、一秒毎にカウントダウン表示される。なお、この診療残り時間３３は、所定時間（例えば、３分）を切った時に点滅表示されても良い。
【００３２】
また、この配信部２１ｃは、スケジュール更新部２１ｂによって診療スケジュールが再スケジュールされた時に、この新たな診療スケジュールを承認するか否かを各医師に選択させる選択画面データを生成するとともに、この選択画面データを各医師の端末装置１１に配信する。端末装置１１によって配信画面データが受信されると、例えば、図７に示す選択画面４０が表示部に表示される。この選択画面４０には、新たな診療スケジュール４１と、診療未実施患者数４２と、承認ボタン４３と、否認ボタン４４とが表示される。各医師が端末装置１１の操作部を操作して、承認ボタン４３または否認ボタン４４が操作されると、この選択結果が診療スケジュール管理装置１３に送信される。
【００３３】
新たな診療スケジュールが承認された場合には、スケジュール更新部２１ｂが、診療スケジュールＤＢ２４ａに登録された診療スケジュールを新たな診療スケジュールに更新する。また、新たな診療スケジュールが否認された場合には、スケジュール更新部２１ｂは、診療スケジュールの更新を行わない。
【００３４】
次に、図８のフローチャートを参照して、上記構成の診療スケジュール管理システム１０の診療スケジュール更新処理について説明する。医師が、診療スケジュールの順番に沿って患者の診療を行い、その患者の診療が終了すると、医師は、端末装置１１の操作部を操作して診療終了を入力する。この時、診療終了が、端末装置１１から診療スケジュール管理装置１３へ通知される。
【００３５】
さらに、この診療終了は、制御部２１がネットワークＩ／Ｆ２３を制御することによって、会計システム１６にも通知される。この時、会計システム１６では、その患者の会計処理が実行される。また、判定部２１は、この診療終了のタイミングで、その医師の診療スケジュールと診療進捗状況とを比較して、所定時間、例えば、５分以上の差が生じているか否かを判定する。
【００３６】
所定時間以上の差が生じていないと判定された場合、スケジュールの更新処理を終了する。また、所定時間以上の差が生じていると判定された場合、スケジュール更新部２１ｂは、診療終了時刻を変更せずに、診療残り時間及び診療未実施患者数に基づいて、１人当たりの診療時間を算出して、例えば、図３（ｂ）に示すように再スケジュールを行う。配信部２１ｃは、選択画面データを医師の端末装置１１に配信するとともに、この端末装置１１から選択結果を受信する。
【００３７】
新たな診療スケジュールが医師によって承認された場合、スケジュール更新部２１ｂは、診療スケジュールＤＢ２４ａの診療スケジュールを更新する。また、配信部２１ｃは、スケジュール画面データを医師の端末装置１１に配信して、診療スケジュール更新処理を終了する。
【００３８】
また、新たな診療スケジュールが医師によって否認された場合、スケジュール更新部２１ｂは、延長または短縮された時間を算出して診療終了時刻を決定し、図３（Ｃ）に示すように、１人当たりの診療時間を変更せずに各患者の診療時間枠を後ろにずらして再スケジュールを行う。さらに、スケジュール更新部２１ｂは、診療スケジュールＤＢ２４ａの診療スケジュールを更新する。また、配信部２１ｃは、スケジュール画面を医師の端末装置１１に配信して、診療スケジュール更新処理を終了する。
【００３９】
上記診療スケジュール更新処理において、診療終了時刻固定で再スケジュールを行った後、この診療スケジュールが承認されなかった時に、診療終了時刻を変更して、１人当たりの診療時間を固定で再スケジュールを行う場合について説明したが、これに限るものではなく、再スケジュールの優先順位を逆にしても良い。また、どちらか一方の再スケジュール方法でのみ再スケジュールを行っても良い。
【００４０】
次に、図９のフローチャートを参照して、診療希望終了時刻または診療希望時間を医師から取得して、診療スケジュールを更新する場合について説明する。医師が、診療スケジュールの順番に沿って患者の診療を行って、その患者の診療が終了した時に、診療終了が診療スケジュール管理装置１３に通知される。また、制御部２１は、この診療終了を会計システム１６に通知する。
【００４１】
また、判定部２１は、この診療終了のタイミングで、その医師の診療スケジュールと診療進捗状況とを比較して、所定時間、例えば、５分以上の差が生じているか否かを判定する。所定時間以上の差が生じていないと判定された場合、診療スケジュール更新処理を終了する。
【００４２】
また、所定時間以上の差が生じていると判定された場合、スケジュール更新部２１ｂは、医師の端末装置１１から診療終了希望時刻または診療希望時間を取得する。スケジュール更新部２１ｂは、診療終了希望時刻を取得した場合、残りの診療時間及び診療未実施患者数に基づいて、患者１人当たりの診療時間を算出して再スケジュールを行う。
【００４３】
また、スケジュール更新部２１ｂは、診療希望時間を取得した場合、この診療希望時間に基づいて、患者の診療時間枠を前後に移動させて再スケジュールを行う。配信部２１ｃは、選択画面データを医師の端末装置１１に配信して、端末装置１１からこの選択結果を受信する。
【００４４】
新たな診療スケジュールが医師によって承認された場合、スケジュール更新部２１ｂは、診療スケジュールＤＢ２４ａの診療スケジュールを更新する。また、配信部２１ｃは、スケジュール画面を医師の端末装置１１に配信して、診療スケジュール更新処理を終了する。
【００４５】
また、新たな診療スケジュールが医師によって否認された場合、スケジュール更新部２１ｂは、後述するように、他の医師を含めた再スケジュール処理を行って、診療スケジュールＤＢ２４ａの診療スケジュールを更新する。また、配信部２１ｃは、スケジュール画面データを医師の端末装置１１に配信して、診療スケジュール更新処理を終了する。
【００４６】
上記診療スケジュール更新処理において、医師の指定条件で再スケジュールした後、新たな診療スケジュールが医師によって承認されなかった時に、他の医師を含めた再スケジュール処理を行う場合を例に説明したが、これに限るものではなく、優先順位を逆にしても良い。また、どちらか一方の再スケジュール方法でのみ再スケジュールを行っても良い。
【００４７】
次に、図１０のフローチャートを参照して、他の医師を含めた再スケジュール処理について説明する。判定部２１ａによって、診療スケジュールと診療進捗状況とに所定時間以上の差が生じていると判定された場合、スケジュール更新部２１ｂは、その医師Ａが診療予定であった患者のうち、他の医師Ｂが診療可能な患者を選出して、選出された患者を医師Ｂの診療予定患者に振り替える。
【００４８】
配信部２１ｃは、医師Ａに再スケジュール方法を選択させる再スケジュール方法選択画面データを配信するとともに、この選択結果を受信する。スケジュール更新部２１ｂは、この選択結果に対応する再スケジュール方法で医師Ａの診療スケジュールを再スケジュールする。
【００４９】
さらに、配信部２１ｃは、医師Ｂに再スケジュール方法を選択させる再スケジュール方法選択画面を配信するとともに、この選択結果を受信する。スケジュール更新部２１ｂは、この選択結果に対応する再スケジュール方法で医師Ｂの診療スケジュールを再スケジュールして、他の医師を含めた再スケジュール処理を終了する。
【００５０】
なお、上記実施形態において、複数の端末装置がネットワークを介して診療スケジュール管理装置に接続されている場合について説明したが、これに限るものではなく、１人の医師の診療スケジュールを管理する場合は、端末装置は１つでも良い。
【００５１】
また、上記実施形態において、２つの再スケジュール方法を優先順位に従って実行する場合を例に説明したが、これに限るものではなく、１つの再スケジュール方法によって再スケジュールを行って診療スケジュールを決定しても良いし、３つ以上の再スケジュール方法を優先順位に従って実行しても良い。また、これらの再スケジュール方法の組み合わせは適宜変更可能である。
【００５２】
さらに、上記実施形態において、判定部、スケジュール更新部、及び配信部を制御部内に設けた場合を例に説明を行ったが、これに限るものではなく、制御部が、判定部、スケジュール更新部、及び配信部の処理をプログラムで実行しても良い。この場合、プログラムを記憶部のＲＯＭ内に記憶させておけば良い。
【００５３】
また、上記実施形態において、病院における医師の診療スケジュールを更新する場合を例に説明を行ったが、これに限るものではなく、診療所や保健所における医師の診療スケジュールの更新に本発明を適用しても良い。
【図面の簡単な説明】
【００５４】
【図１】診療スケジュール管理システムの構成を示す概略図である。
【図２】診療スケジュール管理装置の構成を示すブロック図である。
【図３】診療スケジュールの再スケジュール方法を示す説明図であり、診療終了時間を変更しない場合、及び患者１人当たりの診療時間を変更しない場合を示している。
【図４】診療スケジュールの再スケジュール方法を示す説明図であり、医師から希望診療終了時刻または診療希望時間を所得して再スケジュールする場合を示している。
【図５】診療スケジュールの再スケジュール方法を示す説明図であり、患者を他の医師に振り替えて再スケジュールする場合を示している。
【図６】スケジュール画面を示す説明図である。
【図７】医師が診療スケジュールを承認するか否かを選択する選択画面を示す説明図である。
【図８】診療スケジュール更新処理を説明するフローチャートであり、診療終了時刻または患者１人当たりの診療時間を変更しないで再スケジュールする場合を示している。
【図９】診療スケジュール更新処理を説明するフローチャートであり、医師の希望条件にて再スケジュール、または他の医師を含めた再スケジュールを行う場合を示している。
【図１０】他の医師を含めて再スケジュールを行う再スケジュール方法を説明するフローチャートである。
【符号の説明】
【００５５】
１０  診療スケジュール管理システム
１１  端末装置
１２  ネットワーク
１３  診療スケジュール管理装置。
２１  制御部
２１ａ  判定部
２１ｂ  スケジュール更新部
２１ｃ  配信部
２２  記憶部
２３  ネットワークＩ／Ｆ
２４  ＨＤＤ
２４ａ  診療スケジュールＤＢ
【図１】
2008158982.tif 000003
【図２】
2008158982.tif 000004
【図３】
2008158982.tif 000005
【図４】
2008158982.tif 000006
【図５】
2008158982.tif 000007
【図６】
2008158982.tif 000008
【図７】
2008158982.tif 000009
【図８】
2008158982.tif 000010
【図９】
2008158982.tif 000011
【図１０】
2008158982.tif 000012